(57)【特許請求の範囲】
【請求項１】
送電鉄塔に墜落防止用のセーフティワイヤ（Ｗ）を固定するのに用いられている中間支持金具（１０）のゆるみを防止するための中間支持金具保護装置（２０；３０；４０）であって、
前記セーフティワイヤを挟持して固定するための前記中間支持金具の第１および第２のワイヤ挟持板（１２1，１２2）の先端部に取り付けられるキャップ（２１；３１；４１）と、
該キャップに末端部が固定された、かつ、前記中間支持金具保護装置を前記送電鉄塔に固定するための連結バンド（２２；３２；４２）と、
を具備することを特徴とする、中間支持金具保護装置。
【請求項２】
前記キャップの一方の側面に固定端部が固定された、かつ、前記中間支持金具の前記第１および第２のワイヤ挟持板の先端部に取り付けられた前記キャップを固定するための固定バンド（２３；３３1，３３2；４３）と、
前記キャップの前記一方の側面または他方の側面に設けられた、かつ、前記固定バンドの開放端を固定するための固定バンド固定手段（２４；３４1，３４2；４４）と、
をさらに具備することを特徴とする、請求項１記載の中間支持金具保護装置。
【請求項３】
前記キャップ、前記連結バンドおよび前記固定バンドが、耐候性のゴムで構成されていることを特徴とする、請求項１または２記載の中間支持金具保護装置。
【請求項４】
前記固定バンド（２３）によって、前記中間支持金具の前記第１および第２のワイヤ挟持板の先端部に取り付けられた前記キャップ（２１）の上半分のみを固定することを特徴とする、請求項２または３記載の中間支持金具保護装置。
【請求項５】
前記固定バンドが、前記中間支持金具の前記第１および第２のワイヤ挟持板の先端部に取り付けられた前記キャップ（３１）の上半分を固定する第１の固定バンド（３３1）と、前記中間支持金具の前記第１および第２のワイヤ挟持板の先端部に取り付けられた前記キャップ（３１）の下半分を固定する第２の固定バンド（３３2）とを含むことを特徴とする、請求項２または３記載の中間支持金具保護装置。
【請求項６】
前記固定バンド（４３）によって、前記中間支持金具の前記第１および第２のワイヤ挟持板の先端部に取り付けられた前記キャップ（４１）を１周巻きして固定することを特徴とする、請求項２または３記載の中間支持金具保護装置。
【請求項７】
前記キャップの上面および下面の中央部に、前記セーフティワイヤを通すための切欠きが形成されていることを特徴とする、請求項１乃至６いずれかに記載の中間支持金具保護装置。
【請求項８】
前記連結バンドの先端部に、前記中間支持金具の前記第１および第２のワイヤ挟持板を開閉させる開閉ハンドル（１１ｂ）が螺合する摺動軸（１１ａ）を貫通させるための貫通孔（２２ａ）が形成されていることを特徴とする、請求項１乃至７いずれかに記載の中間支持金具保護装置。
【発明の詳細な説明】
【技術分野】
【０００１】
本発明は、中間支持金具保護装置に関し、特に、送電鉄塔（高圧送電線を架設する鉄塔）に墜落防止用のセーフティワイヤを固定するのに用いられている中間支持金具のゆるみを防止するのに好適な中間支持金具保護装置に関する。
【背景技術】
【０００２】
送電鉄塔には、作業者などの関係者が送電鉄塔に昇り降りする際の墜落を防ぐために、墜落防止用のセーフティワイヤが取り付けられている。このセーフティワイヤは送電鉄塔の上部から地上付近までの長工を有するため、送電鉄塔の数箇所に設けられた中間支持金具によってセーフティワイヤを固定して、セーフティワイヤが振れないようにされている。
【０００３】
たとえば、図６（ａ），（ｂ）に示すように、外周にねじが形成された摺動軸１１ａの一端を送電鉄塔の鉄塔部材１に固定して中間支持金具１０を送電鉄塔の鉄塔部材１に取り付けて、摺動軸１１ａに螺合する開閉ハンドル１１ｂを手で回して開閉ハンドル１１ｂを摺動軸１１ａの軸方向に沿って動かし、セーフティワイヤＷを第１および第２のワイヤ挟持板１２1，１２2で挟持して固定することにより、セーフティワイヤＷが振れないようにしている。
【０００４】
作業者は、装着した命綱の一端に取り付けられている係合具をセーフティワイヤＷに係合し、昇塔時には図６（ａ）に示すように中間支持金具１０の開閉ハンドル１１ｂを手で回して第１および第２のワイヤ挟持板１２1，１２2を開いて係合具を通過させ、降塔時には図６（ｂ）に示すように係合具を通過させたのちに開閉ハンドル１１ｂを手で回して第１および第２のワイヤ挟持板１２1，１２2を閉じてセーフティワイヤＷを固定している。
【０００５】
なお、下記の特許文献１には、リップ付きコ字溝部材からなりその中を親綱が貫通する中間支持金具を移動経路の途中に配設し、中間支持金具のリップ間の開口部にて形成された金具通過部を横断するとともに金具通過方向に揺動自在な抜出防止揺動片を設け、金具通過部に子綱の先端金具を通し、抜出防止揺動片を揺動させながら通過させることにより、子綱の先端金具を親綱に係合させたまま中間支持金具を簡単に通過することができる墜落事故防止装置が開示されている。
【特許文献１】特開平７−２２４５４０号公報
【発明の開示】
【発明が解決しようとする課題】
【０００６】
しかしながら、中間支持金具１０は、開閉ハンドル１１ｂを手で回してセーフティワイヤＷを第１および第２のワイヤ挟持板１２1，１２2で挟持するだけの構造となっているため、作業者の降塔時における第１および第２のワイヤ挟持板１２1，１２2の締付け不良や風によるセーフティワイヤＷの振動などによって中間支持金具１０にゆるみが生じて、セーフティワイヤＷに損傷や断線などを発生させるという問題があった。
【０００７】
本発明の目的は、中間支持金具のゆるみを防止することができる中間支持金具保護装置を提供することにある。
【課題を解決するための手段】
【０００８】
本発明の中間支持金具保護装置は、送電鉄塔に墜落防止用のセーフティワイヤ（Ｗ）を固定するのに用いられている中間支持金具（１０）のゆるみを防止するための中間支持金具保護装置（２０；３０；４０）であって、前記セーフティワイヤを挟持して固定するための前記中間支持金具の第１および第２のワイヤ挟持板（１２1，１２2）の先端部に取り付けられるキャップ（２１；３１；４１）と、該キャップに末端部が固定された、かつ、前記中間支持金具保護装置を前記送電鉄塔に固定するための連結バンド（２２；３２；４２）とを具備することを特徴とする。
ここで、前記キャップの一方の側面に固定端部が固定された、かつ、前記中間支持金具の前記第１および第２のワイヤ挟持板の先端部に取り付けられた前記キャップを固定するための固定バンド（２３；３３1，３３2；４３）と、前記キャップの前記一方の側面または他方の側面に設けられた、かつ、前記固定バンドの開放端を固定するための固定バンド固定手段（２４；３４1，３４2；４４）とをさらに具備してもよい。
前記キャップ、前記連結バンドおよび前記固定バンドが、耐候性のゴムで構成されていてもよい。
前記固定バンド（２３）によって、前記中間支持金具の前記第１および第２のワイヤ挟持板の先端部に取り付けられた前記キャップ（２１）の上半分のみを固定してもよい。
前記固定バンドが、前記中間支持金具の前記第１および第２のワイヤ挟持板の先端部に取り付けられた前記キャップ（３１）の上半分を固定する第１の固定バンド（３３1）と、前記中間支持金具の前記第１および第２のワイヤ挟持板の先端部に取り付けられた前記キャップ（３１）の下半分を固定する第２の固定バンド（３３2）とを含んでもよい。
前記固定バンド（４３）によって、前記中間支持金具の前記第１および第２のワイヤ挟持板の先端部に取り付けられた前記キャップ（４１）を１周巻きして固定してもよい。
前記キャップの上面および下面の中央部に、前記セーフティワイヤを通すための切欠きが形成されていてもよい。
前記連結バンドの先端部に、前記中間支持金具の前記第１および第２のワイヤ挟持板を開閉させる開閉ハンドル（１１ｂ）が螺合する摺動軸（１１ａ）を貫通させるための貫通孔（２２ａ）が形成されていてもよい。
【発明の効果】
【０００９】
本発明の中間支持金具保護装置は、セーフティワイヤが固定された中間支持金具の第１および第２のワイヤ挟持板の先端部にキャップを取り付けることにより、第１および第２のワイヤ挟持板の締付け不良や風によるセーフティワイヤの振動などが生じても第１および第２のワイヤ挟持板をキャップによってしっかりと固定することができるので、中間支持金具のゆるみを完全に防止することができるという効果を奏する。
【発明を実施するための最良の形態】
【００１０】
上記の目的を、セーフティワイヤが固定された中間支持金具の第１および第２のワイヤ挟持板の先端部にキャップを取り付けるとともに、このキャップを固定バンドで固定することにより実現した。
【実施例１】
【００１１】
以下、本発明の中間支持金具保護装置の実施例について、図面を参照して説明する。
まず、本発明の第１の実施例による中間支持金具保護装置について、図１乃至図３を参照して説明する。なお、図１は、本実施例による中間支持金具保護装置２０の構成を示す図であり、（ａ）は上面図であり、（ｂ）は左側面図であり、（ｃ）は正面図であり、（ｄ）は右側面図である。図２は、固定バンド２３の開放端の構造を示す図である。図３は、中間支持金具保護装置２０を中間支持金具１０に取り付けた状態を示す図である。
【００１２】
本実施例による中間支持金具保護装置２０は、図１に示すように、キャップ２１と、連結バンド２２と、固定バンド２３と、固定バンド止め具２４とを具備する。
ここで、キャップ２１、連結バンド２２および固定バンド２３は、中間支持金具保護装置２０を中間支持金具１０に取り付けたのちに風などの振動によって中間支持金具１０およびセーフティワイヤＷへ外部損傷を与えないようにするために、ゴム製とすることが好ましい。また、キャップ２１、連結バンド２２および固定バンド２３をゴム製とする場合には、外部に長期間放置することによる中間支持金具保護装置２０の経年劣化を防止するために、耐候性の良い品質のゴムを用いるのが好ましい。
【００１３】
キャップ２１は、表面が図１（ｃ）に示すように開口面とされた矩形の箱状をしている。キャップ２１の開口面の面積は、セーフティワイヤＷが固定された中間支持金具１０の第１および第２のワイヤ挟持板１２1，１２2の先端面の面積と略同じにされている。キャップ２１の開口の奥行きは、中間支持金具１０の第１および第２のワイヤ挟持板１２1，１２2にキャップ２１を取り付けたのちにキャップ２１が容易に外れない長さ（たとえば、５ｃｍ）とされている。
また、キャップ２１の上面および下面の中央部には、図１（ａ），（ｃ）に示すように、セーフティワイヤＷを通すための切欠きがキャップ２１の表面から裏面に向かって（すなわち、キャップ２１の開口の奥行き方向に沿って）形成されている。切欠きの幅は、セーフティワイヤＷの径と略同じにされている。
【００１４】
これにより、後述する固定バンド２３の開放端を固定バンド止め具２４から外した状態で、セーフティワイヤＷが固定された中間支持金具１０の第１および第２のワイヤ挟持板１２1，１２2の先端面をキャップ２１の開口に入れたのちにキャップ２１を押し込んでいくことにより、第１および第２のワイヤ挟持板１２1，１２2の先端部にキャップ２１を取り付けることができる。このとき、セーフティワイヤＷはキャップ２１の切欠きに入るため、第１および第２のワイヤ挟持板１２1，１２2の先端部にキャップ２１を取り付ける際にセーフティワイヤＷが邪魔になることはない。
【００１５】
連結バンド２２の末端部は、図１（ａ），（ｃ），（ｄ）に示すように、キャップ２１の右側面に固定バンド２３の固定端部（開放端と反対側の端部）と共に固定されている。
また、連結バンド２２の先端部には、図１（ｂ），（ｄ）に示すように、中間支持金具１０の摺動軸１１ａ（図６参照）を貫通させるための貫通孔２２ａが形成されている。
【００１６】
これにより、中間支持金具１０の摺動軸１１ａの先端部を連結バンド２２の貫通孔２２ａに通し、中間支持金具保護装置２０を摺動軸１１ａの末端に向かって移動したのちに、連結バンド２２の先端部をナットで締め付けて固定することにより、中間支持金具保護装置２０を中間支持金具１０に固定することができるので、キャップ２１を第１および第２のワイヤ挟持板１２1，１２2の先端部から取り外しても中間支持金具保護装置２０が落下することを防止できる。
【００１７】
なお、図１（ｂ），（ｄ）に示すように連結バンド２２の貫通孔２２ａに金属補強環２２ｂを取り付けて、貫通孔２２ａの強度を補強することが好ましい。
【００１８】
固定バンド止め具２４は、図１（ａ），（ｂ），（ｃ）に示すように、キャップ２１の右側面の連結バンド２２の末端部および固定バンド２３の固定端部を固定している箇所と対向するキャップ２１の左側面の位置に設けられている。固定バンド止め具２４は、末端がキャップ２１に固定された円柱軸と、円柱軸の先端に円柱軸と一体的に形成された円板（円柱軸の径よりも径が大きい）とから構成されている。
固定バンド２３の開放端部には、図２に示すように、貫通孔２３ａが形成されている。
【００１９】
これにより、固定バンド２３をキャップ２１の右側面、上面および左側面に密着させながら固定バンド２３の開放端部を固定バンド止め具２４まで持ってきたのちに固定バンド止め具２４の円板を固定バンド２３の貫通孔２３ａに通して固定バンド２３の開放端部を固定バンド止め具２４に引っ掛けることにより、図３に示すように第１および第２のワイヤ挟持板１２1，１２2の先端部に取り付けたキャップ２１を固定バンド２３で固定して、キャップ２１が第１および第２のワイヤ挟持板１２1，１２2の先端部から外れることを防止することができる。
【００２０】
なお、固定バンド２３の長さは、固定バンド２３の開放端部を固定バンド止め具２４に引っ掛けたときに固定バンド２３の内側の面が図１（ｃ）に示すようにキャップ２１の右側面、上面および左側面に密着する長さとされている。また、図２に示すように固定バンド２３の貫通孔２３ａに金属補強環２３ｂを取り付けて、貫通孔２３ａの強度を補強することが好ましい。
【００２１】
このように、本実施例による中間支持金具保護装置２０を使用することにより、セーフティワイヤＷを中間支持金具１０の第１および第２のワイヤ挟持板１２1，１２2で挟持して固定したのちに、第１および第２のワイヤ挟持板１２1，１２2の先端部にキャップ２１を取り付けるとともに固定バンド２３でキャップ２１を固定することができるため、第１および第２のワイヤ挟持板１２1，１２2の締付け不良や風によるセーフティワイヤＷの振動などが生じても第１および第２のワイヤ挟持板１２1，１２2をキャップ２１でしっかりと固定することができるので、中間支持金具１０にゆるみが生じることを完全に防止できる。
【００２２】
昇塔時には、作業者は、装着した命綱の一端に取り付けられている係合具をセーフティワイヤＷに係合したのち、送電鉄塔を登っていく。中間支持金具１０の箇所に来ると、作業者は、中間支持金具１０の第１および第２のワイヤ挟持板１２1，１２2の先端部に取り付けられている中間支持金具保護装置２０の固定バンド２３の開放端部を固定バンド止め具２４から外し、キャップ２１を第１および第２のワイヤ挟持板１２1，１２2の先端部から取り外したのち、開閉ハンドル１１ｂを手で回して第１および第２のワイヤ挟持板１２1，１２2を開いて係合具を通過させる。その後、作業者は、次の中間支持金具１０の箇所に向かって送電鉄塔を登っていく。このとき、中間支持金具保護装置２０は、連結バンド２２によって中間支持金具１０に固定されているので、そのままにしておいても落下することはない。
【００２３】
降塔時には、作業者は、中間支持金具１０の箇所に来ると、係合具を通過させたのちに中間支持金具１０の開閉ハンドル１１ｂを手で回して第１および第２のワイヤ挟持板１２1，１２2を閉じてセーフティワイヤＷを締め付けて固定する。その後、中間支持金具保護装置２０のキャップ２１を第１および第２のワイヤ挟持板１２1，１２2の先端部に取り付けたのち、中間支持金具保護装置２０の固定バンド２３の開放端部を固定バンド止め具２４に引っ掛ける。その後、作業者は、次の中間支持金具１０の箇所に向かって送電鉄塔を降りていく。
【実施例２】
【００２４】
次に、本発明の第２の実施例による中間支持金具保護装置について、図４を参照して説明する。
本実施例による中間支持金具保護装置３０は、図４に示すように、２本の固定バンド（第１および第２の固定バンド３３1，３３2）を用いて、１本の固定バンド（第１の固定バンド３３1）でキャップ３１の上半分を固定するとともに他の１本の固定バンド（第２の固定バンド３３2）でキャップ３１の下半分を固定する点で、上述した第１の実施例による中間支持金具保護装置２０と異なる。
【００２５】
すなわち、中間支持金具保護装置３０は、図１に示した固定バンド２３の代わりに第１および第２の固定バンド３３1，３３2（固定バンド２３と同様に構成されている。）を具備するとともに、図１に示した固定バンド止め具２４の代わりにキャップ３１の左側面に設けられた第１および第２の固定バンド止め具３４1，３４2（固定バンド止め具２４と同様に構成されている。）を具備する。
【００２６】
これにより、中間支持金具保護装置３０では、キャップ３１を中間支持金具１０の第１および第２のワイヤ挟持板１２1，１２2の先端部に取り付けたのちに、第１および第２の固定バンド止め具３４1，３４2に第１および第２の固定バンド３３1，３３2の開放端部をそれぞれ引っ掛けることにより、キャップ３１の右側面の上側部分、上面および左側面の上側部分に第１の固定バンド３３1を密着させるとともにキャップ３１の右側面の下側部分、下面および左側面の下側部分に第２の固定バンド３３2を密着させてキャップ３１を固定することができる。その結果、キャップ３１が第１および第２のワイヤ挟持板１２1，１２2の先端部から外れることを更に防止することができる。
【実施例３】
【００２７】
次に、本発明の第３の実施例による中間支持金具保護装置について、図５を参照して説明する。
本実施例による中間支持金具保護装置４０は、図５に示すように、１本の固定バンド（固定バンド４３）でキャップ４１を１周巻きして固定する点で、上述した第１の実施例による中間支持金具保護装置２０と異なる。
【００２８】
すなわち、中間支持金具保護装置４０は、図１に示した固定バンド２３の代わりに固定バンド４３（固定バンド２３と同様に構成されている。）を具備するとともに、図１に示した固定バンド止め具２４の代わりにキャップ４１の右側面に設けられた固定バンド止め具４４（固定バンド止め具２４と同様に構成されている。）を具備する。
【００２９】
ここで、固定バンド４３の長さは、固定バンド４３の開放端部を固定バンド止め具４４に引っ掛けたときに固定バンド４３がキャップ４１の上下面および両側面に密着する長さとされている。
また、固定バンド止め具４４は、図５に示すように、連結バンド４２の末端端部および固定バンド４３の固定端部を固定する機能も兼ね備えている。
【００３０】
これにより、中間支持金具保護装置４０では、キャップ４１を中間支持金具１０の第１および第２のワイヤ挟持板１２1，１２2の先端部に取り付けたのちに、固定バンド止め具４４に固定バンド４３の開放端部を引っ掛けることにより、キャップ４１の右側面の上側部分、上面、左側面、下面および右側面の下側部分に固定バンド４３を密着させてキャップ４１を固定することができる。その結果、キャップ４１が第１および第２のワイヤ挟持板１２1，１２2の先端部から外れることを更に防止することができる。
【００３１】
以上の説明では、開放端部に貫通孔が形成された固定バンド２３；３３1，３３2，４３（図２参照）を用いたが、開放端部にフックを取り付けた固定バンドを用いてもよい。この場合には、固定バンド止め具２４；３４1，３４2；４４の代わりに、たとえば、フックを引っ掛けることができる穴をキャップ２１；３１；４１に形成すればよい。
【００３２】
また、キャップ２１；３１；４１をゴム製とする場合には、ゴムの弾性力によって中間支持金具保護装置２０：３０：４０が中間支持金具１０の第１および第２のワイヤ挟持板１２1，１２2の先端部から外れることを防ぐことができるため、固定バンド２３；３３1，３３2，４３はなくてもよい。
【図面の簡単な説明】
【００３３】
【図１】本発明の第１の実施例による中間支持金具保護装置２０の構成を示す図であり、（ａ）は上面図であり、（ｂ）は左側面図であり、（ｃ）は正面図であり、（ｄ）は右側面図である。
【図２】図１に示した固定バンド２３の開放端の構造を示す図である。
【図３】図１に示した中間支持金具保護装置２０を中間支持金具１０に取り付けた状態を示す図である。
【図４】本発明の第２の実施例による中間支持金具保護装置３０について説明するための図である。
【図５】本発明の第３の実施例による中間支持金具保護装置４０について説明するための図である。
【図６】送電鉄塔への昇降塔時の墜落防止用のセーフティワイヤＷを固定するために使用されている中間支持金具１０について説明するための図である。
【符号の説明】
【００３４】
１  鉄塔部材
１０  中間支持金具
１１ａ  摺動軸
１１ｂ  開閉ハンドル
１２1，１２2  第１および第２のワイヤ挟持板
２０，３０，４０  中間支持金具保護装置
２１，３１，４１  キャップ
２２，３２，４２  連結バンド
２２ａ，２３ａ  貫通孔
２２ｂ，２３ｂ  金属補強環
２３，４３  固定バンド
２４，４４  固定バンド止め具
３３1，３３2  第１および第２の固定バンド
３４1，３４2  第１および第２の固定バンド止め具
Ｗ  セーフティワイヤ
【図１】
0004926846.tif 000002
【図２】
0004926846.tif 000003
【図３】
0004926846.tif 000004
【図４】
0004926846.tif 000005
【図５】
0004926846.tif 000006
【図６】
0004926846.tif 000007